(57)【要約】【課題】パネルの画像表示品位や動作安定性に関して、パネルの生産性を悪化させずに向上させることのできるようにすることを目的とする。【解決手段】一方の端部がパネル表面に露出する端子部１５、１６を有する走査電極５および維持電極６を互いに平行に複数配置した前面基板と、この前面基板に対向配置されかつ前記走査電極５および維持電極６と交差する方向にデータ電極１０を形成した背面基板とを有し、かつ前記前面基板に両端部がパネル表面に露出するように抵抗測定用走査電極５ａを形成した。【選択図】図２
2005332598.tif 000002
【特許請求の範囲】
【請求項１】
一方の端部がパネル表面に露出する端子部を有する走査電極および維持電極を互いに平行に複数配置した前面基板と、この前面基板に対向配置されかつ前記走査電極および維持電極と交差する方向にデータ電極を形成した背面基板とを有し、かつ前記前面基板に両端部がパネル表面に露出するように抵抗測定用電極を形成したことを特徴とするプラズマディスプレイパネル。
【請求項２】
複数の走査電極および維持電極のうち、少なくとも１本の電極の両端部をパネル表面に露出するように形成することにより、抵抗測定用電極を構成した請求項１に記載のプラズマディスプレイパネル。
【請求項３】
複数の走査電極および維持電極のうち、少なくとも２本の電極の端子部を設けた側とは反対側の端部どうしを短絡電極で接続することにより、抵抗測定用電極を構成した請求項１に記載のプラズマディスプレイパネル。
【請求項４】
パネルの表示領域外にダミーの走査電極および維持電極を形成し、そのダミーの走査電極および維持電極を用いて抵抗測定用電極を構成した請求項２または３に記載のプラズマディスプレイパネル。
【発明の詳細な説明】
【技術分野】
【０００１】
本発明は、大画面で、薄型、軽量のディスプレイ装置として知られているプラズマディスプレイパネルの電極構造に関する。
【背景技術】
【０００２】
プラズマディスプレイパネル（以下、ＰＤＰという）は、大画面、薄型、軽量であることを特徴とする視認性に優れた表示デバイスである。ＰＤＰの放電方式としてはＡＣ型とＤＣ型とがあり、電極構造としては３電極面放電型と対向放電型とがある。しかし現在は、高精細化に適し、しかも製造の容易なことからＡＣ型かつ面放電型であるＡＣ型３電極ＰＤＰが主流となっている。
【０００３】
ＡＣ型３電極ＰＤＰは、特許文献１に示すように、一般に、対向配置された前面基板と背面基板との間に多数の放電セルを形成してなる。前面基板は、表示電極としての走査電極と維持電極とが前面ガラス板上に互いに平行に複数対形成され、それら表示電極を覆うように誘電体層および保護層が形成される。背面基板は、背面ガラス板上にデータ電極が互いに平行に複数形成され、それらを覆うように誘電体層が形成される。そしてこの誘電体層上にデータ電極と平行に隔壁が複数形成され、誘電体層の表面と隔壁の側面とに蛍光体層が形成される。そして、表示電極とデータ電極とが立体交差するように前面基板と背面基板とを対向させて密封し、その内部の放電空間に放電ガスを封入して、組み立てられている。
【０００４】
ＰＤＰは各電極端に駆動回路を通じて所定の電圧波形を印加し点灯させている。各電極のインピーダンス、特に抵抗値が高い場合、電圧波形を印加している電極端部より下流側へいくほど、放電電流による電圧降下により放電セルに印加される電圧が小さくなるため、放電電圧の上昇、パネルの消費電力の上昇などの現象が起きる。また各電極の抵抗値が小さい場合には放電電流が増加し、回路素子の破壊やディレーティングの悪化などの現象が起きる。
【０００５】
このようにＰＤＰのパネルの画像表示品位や動作安定性の観点から、各電極の抵抗値はある適正値の範囲内であることが望ましい。走査電極、維持電極に関しては、主にＰＤＰの発光を担う強放電により、大きい放電電流が流れるため、生産時には特に走査電極、維持電極の抵抗値に注意する必要がある。
【０００６】
従来においては、前面基板と背面基板を張り合わせた完成品のＰＤＰでは、各電極の一方の端部のみがパネル表面に露出しており、もう一方の端部を直接触ることができないため、電極一本の抵抗値を測定することができない。そのため、抵抗値は各電極を形成した後、電極の両端が露出している状態で測定を行う必要がある（特許文献１参照）。
【特許文献１】特開２００２−８３５４７号公報
【発明の開示】
【発明が解決しようとする課題】
【０００７】
以上の方法でパネルの各電極の抵抗値を測定することは可能であるが、この場合、各電極の抵抗値を測定するための専用の工程および装置が必要となるため、パネルの製造に掛かる設備、工程数、時間が増え、パネルのコストアップや生産効率の悪化に繋がってしまう。
【０００８】
本発明はこのような課題を解決し、パネルの画像表示品位や動作安定性に関して、パネルの生産性を悪化させずに向上させることのできるＰＤＰの構造を提供することを目的とするものである。
【課題を解決するための手段】
【０００９】
上記課題を解決するために本発明のプラズマディスプレイパネルは、一方の端部がパネル表面に露出する端子部を有する走査電極および維持電極を互いに平行に複数配置した前面基板と、この前面基板に対向配置されかつ前記走査電極および維持電極と交差する方向にデータ電極を形成した背面基板とを有し、かつ前記前面基板に両端部がパネル表面に露出するように抵抗測定用電極を形成したことを特徴とする。
【００１０】
また、本発明は、複数の走査電極および維持電極のうち、少なくとも１本の電極の両端部をパネル表面に露出するように形成することにより、抵抗測定用電極を構成したものである。
【００１１】
また、本発明は、複数の走査電極および維持電極のうち、少なくとも２本の電極の端子部を設けた側とは反対側の端部どうしを短絡電極で接続することにより、抵抗測定用電極を構成したものである。
【００１２】
さらに、パネルの表示領域外にダミーの走査電極および維持電極を形成し、そのダミーの走査電極および維持電極を用いて抵抗測定用電極を構成したものである。
【発明の効果】
【００１３】
本発明によれば、パネルの製造に使用する設備、工程数、時間を増加させることなく、つまりパネルのコストアップや生産性を悪化させることなく、走査電極および維持電極の抵抗値を容易に測定することが可能となるため、パネル毎の抵抗値にあった回路のチューニングを施すことで、画像表示品位や動作安定性を向上させることが可能となる。
【発明を実施するための最良の形態】
【００１４】
以下、本発明の一実施の形態によるＰＤＰついて、図面を参照しながら説明する。
【００１５】
図１は本発明の一実施の形態におけるＰＤＰのパネル構造を示す分解斜視図である。パネル１は、対向して配置された前面基板２と背面基板３とを有している。前面基板２は、前面ガラス板４上に走査電極５と維持電極６とが互いに平行に対をなして複数対配置されている。そして、これらの走査電極５と維持電極６とを覆うように誘電体層７が形成され、この誘電体層７の表面を覆うように保護層８が形成されている。
【００１６】
背面基板３は、背面ガラス板９上に前記走査電極５および維持電極６と交差する方向にデータ電極１０が互いに平行に複数形成され、このデータ電極１０を覆うように誘電体層１１が形成されている。そして、この誘電体層１１上にデータ電極１０と平行に隔壁１２が複数形成され、誘電体層１１の表面と隔壁１２の側面とに蛍光体層１３が形成されている。さらに、前面基板２と背面基板３とに挟まれた放電空間１４には、放電ガスが封入されている。
【００１７】
図２はパネル１の電極配列図である。列方向にｍ列のデータ電極１０が配列され、行方向にｎ行の走査電極５とｎ行の維持電極６とが交互に配列されている。そして、走査電極５および維持電極６とデータ電極１０の端部には、端子部１５、１６、１７が設けられている。この端子部１５、１６、１７は、それぞれパネルの表示領域以外である前面基板２および背面基板３の端部にパネル表面に露出するように設けられており、端子部１５、１６はそれぞれ相対する異なる辺の端部に設けられている。また、１対の走査電極５および維持電極６と１つのデータ電極１０との交差部分には、放電セル１８が放電空間内にｍ×ｎ個形成されている。
【００１８】
また、複数本の走査電極５の中には、走査電極５の端子部１５とは反対側の端部を、端子部１６が露出している前面基板２の端部の位置まで延長し、端子部１６間から露出させた抵抗測定用走査電極５ａが少なくとも１本設けられている。
【００１９】
このように抵抗測定用走査電極５ａを形成することで、前面基板２と背面基板３とを組み合わせたパネル１の状態でテスター等を用いて、容易に電極の抵抗を測定することが可能となり、パネルが完成した後の点灯検査工程等に電極抵抗の測定項目を容易に組み込むことができる。しかも、各電極の抵抗値を測定し、パネル毎の電極抵抗値にあった回路のチューニングを施すことで、画像表示品位や動作安定性を向上させることが可能となる。また、抵抗測定用走査電極５ａと走査電極５の抵抗値は同じプロセスで形成されるため、抵抗測定用走査電極５ａと走査電極５の電極長さの比が一定となるように抵抗測定用走査電極５ａを形成することで、走査電極５の抵抗値を抵抗測定用走査電極５ａの抵抗値により容易に知ることができ、パネルの製造に使用する設備、工程数、時間を増加させることなく、つまりパネルのコストアップや生産性を悪化させることなく実現することができるる。
【００２０】
なお、このとき、維持電極６側についても、前記抵抗測定用走査電極５ａと同様に、端子部１６の反対側の端部を端子部１５の位置まで延長し、端子部１５間から露出させて抵抗測定用電極を形成することにより、維持電極６の抵抗値も容易に測定することができる。
【００２１】
また、走査電極５および維持電極６を伸ばす方法ではなく、図３に示すように、前面基板２において、パネルの表示領域外の位置に少なくとも１本の抵抗測定用電極１９を、両端がパネル表面に露出するように走査電極５および維持電極６と同じプロセスで一定の相関関係を持って形成し、走査電極５および維持電極６の抵抗値を簡易的に測定できる構成としても良い。
【００２２】
図４は本発明の他の実施の形態におけるプラズマディスプレイパネルの電極配列図であり、この実施の形態においては、少なくとも２本の維持電極６の端子部１６と反対側のパネル内に位置する端部どうしを短絡電極２０で接続し、その２本の維持電極６によりコの字型の抵抗測定用維持電極６ａを構成したものである。このとき、図４では、パネルの表示領域内の維持電極６の端部を短絡電極２０で接続しているが、図５に示すように、パネルの外周に設けられる表示領域外に、表示領域内の走査電極極５と維持電極６と同様な構成とプロセスで、パネル表面に露出する端子部２１ｂ、２２ｂを有するダミーの走査電極２１と維持電極２２を設け、少なくとも２本の維持電極のうち１本の維持電極に、前記ダミーの維持電極２２を用いて短絡電極２０で端部どうしを接続して抵抗測定用維持電極６ａとしても良い。
【００２３】
ここで、走査電極５と維持電極６とが交互に形成されるＰＤＰの場合には、短絡電極２０が走査電極５と交差する構造となるため、電極が短絡しないようにする必要がある。そこで、図６に示すように、維持電極６を少なくとも２本連続して形成し、それらのパネル表面に露出していない側の端部を短絡電極２０で接続して抵抗測定用維持電極６ａとしても良い。
【００２４】
また、図５の変形例として、図７に示すように、パネルの外周に設けられる表示領域外に、表示領域内の維持電極６と同様な構成とプロセスで、ダミーの維持電極２２を設け、そのダミーの維持電極２２の端部どうしを短絡電極２０で接続して抵抗測定用電極２２ａとしても良い。この場合には、図３に示す例と同様に、ダミーの維持電極２２により構成した抵抗測定用電極２２ａの抵抗値と、走査電極５および維持電極６の抵抗値との間に、パネル毎に一定の相関関係を持つように形成しておく。
【００２５】
このような構造とすることにより、端部を短絡電極で接続した維持電極とダミーの維持電極の端子部はパネル表面に露出しているため、この短絡電極で共通に接続した抵抗測定用維持電極と他の維持電極の長さの比を一定とすることで、維持電極の抵抗値を抵抗測定用維持電極の抵抗値より容易に抵抗を測定することが可能となる。
【００２６】
なお、上記図４〜図７に示す例では、維持電極６側を短絡電極２０で接続し、抵抗測定用維持電極６ａとしたが、少なくとも２本の走査電極５の端子部１５と反対側のパネル内に位置する端部どうしを短絡電極２０で接続し、その２本の走査電極５によりコの字型の抵抗測定用走査電極５ａを構成しても良い。
【００２７】
また、図５の変形例として、図８に示すように、パネルの外周に設けられる表示領域外に、表示領域内の走査電極５と維持電極６と同様な構成とプロセスで、パネル表面に露出する端子部２１ｂ、２２ｂを有するダミーの走査電極２１と維持電極２２を設け、そのダミーの走査電極２１と維持電極２２とを中間部分に設けた短絡電極２３で接続することにより、パネル表面に露出する端子部２１ｂ、２２ｂを有する抵抗測定用電極を構成しても良い。このような構造においても、短絡電極２３で接続されたダミーの走査電極２１と維持電極２２による抵抗測定用電極の抵抗値と、走査電極５および維持電極６の抵抗値の相関関係を一定とすることで、走査電極５および維持電極６の抵抗値を容易に知ることができる。
【産業上の利用可能性】
【００２８】
以上のように本発明によれば、ＰＤＰの画像表示品位や動作安定性を向上させる上で有用な発明である。
【図面の簡単な説明】
【００２９】
【図１】本発明の一実施の形態におけるプラズマディスプレイパネルの構造を示す分解斜視図
【図２】同プラズマディスプレイパネルの電極配列図
【図３】他の例による電極配列図
【図４】他の例による電極配列図
【図５】他の例による電極配列図
【図６】他の例による電極配列図
【図７】他の例による電極配列図
【図８】他の例による電極配列図
【符号の説明】
【００３０】
１  パネル
２  前面基板
３  背面基板
４  前面ガラス板
５  走査電極
６  維持電極
７  誘電体層
８  保護層
９  背面ガラス板
１０  データ電極
１１  誘電体層
１２  隔壁
１３  蛍光体層
１４  放電空間
１５、１６、１７、２１ｂ、２２ｂ  端子部
１８  放電セル
５ａ  抵抗測定用走査電極
６ａ  抵抗測定用維持電極
１９、２２ａ  抵抗測定用電極
２０、２３  短絡電極
２１  ダミー走査電極
２２  ダミー維持電極
【図１】
2005332598.tif 000003
【図２】
2005332598.tif 000004
【図３】
2005332598.tif 000005
【図４】
2005332598.tif 000006
【図５】
2005332598.tif 000007
【図６】
2005332598.tif 000008
【図７】
2005332598.tif 000009
【図８】
2005332598.tif 000010